(57)【要約】【課題】亀頭固定環から徐々に肉厚を低減するよう傾斜させて延長した陰茎固定翼もしくは筒状陰茎固定部を採用し、簡単に使用者の陰茎に装着することができるようにする【解決手段】先端から端部を閉じた亀頭収納室、該亀頭収納室の頚部に径を小さく形成した亀頭固定環、および該亀頭固定環から徐々に肉厚を低減するよう傾斜させて延長するとともに複数片に分離した陰茎固定翼とを備え、該陰茎固定翼の他端を開口した長さ方向にめくり上げることができる内筒と、先端から上記内筒の亀頭収納室を被覆する亀頭部と、亀頭部と連続して陰茎固定翼を被覆する陰茎部とを備えるとともに、他端を開口した、長さ方向にめくり上げることができる柔軟素材からなる外筒とを有し、前記外筒を開口部分からめくり上げ、次いで先端の側から外筒を引き伸ばして順次内筒上に装着するようにしたことを特徴とする性不全者用補助器具。【選択図】図１
2015196019.tif 000002
【特許請求の範囲】
【請求項１】
先端から端部を閉じた亀頭収納室、該亀頭収納室の頚部に径を小さく形成した亀頭固定環、および該亀頭固定環から徐々に肉厚を低減するよう傾斜させて延長するとともに複数片に分離した陰茎固定翼とを備え、該陰茎固定翼の他端を開口した長さ方向にめくり上げることができる内筒と、先端から上記内筒の亀頭収納室を被覆する亀頭部と、亀頭部と連続して陰茎固定翼を被覆する陰茎部とを備えるとともに、他端を開口した、長さ方向にめくり上げることができる柔軟素材からなる外筒とを有し、前記内筒の陰茎固定翼を開口部分の側から拡げて使用者の亀頭を亀頭収納室に収納したのち、前記陰茎固定翼を閉じて亀頭固定環で陰茎に内筒を固着し、さらに前記外筒を開口部分からめくり上げ、次いで先端の側から外筒を引き伸ばして順次内筒上に装着するようにしたことを特徴とする性不全者用補助器具。
【請求項２】
前記亀頭固定環が、前記複数の陰茎固定翼の中間部位において切込みが形成されており、前記陰茎固定翼の他端を容易にめくり上げられるにしたことを特徴とする請求項１に記載の性不全者用補助器具。
【請求項３】
前記内筒が、前記複数の陰茎固定翼の中間部位において形成された前記亀頭固定環の切込み部分の近傍に亀裂防止用の肉厚部を設けたことを特徴とする請求項１または２に記載の性不全者用補助器具。
【請求項４】
先端から端部を閉じた亀頭収納室、該亀頭収納室の頚部に径を小さく形成した亀頭固定環、および該亀頭固定環から徐々に肉厚を低減するよう傾斜させて延長した筒状陰茎固定部とを備えるとともに、該筒状陰茎固定部の他端を開口した長さ方向にめくり上げることができる柔軟素材からなる性不全者用補助器具本体を有し、前記性不全者用補助器具本体の筒状陰茎固定部を開口部分の側から拡げて使用者の亀頭を亀頭収納室に収納したのち、前記筒状陰茎固定部を閉じて亀頭固定環で陰茎に性不全者用補助器具本体を固着するようにしたことを特徴とする性不全者用補助器具。
【請求項５】
両端が開港した長さ方向にめくり上げることができる陰茎締付用内筒と、先端から端部を閉じた亀頭収納室、該亀頭収納室の頚部に径を小さく形成した亀頭固定環、および該亀頭固定環から徐々に肉厚を低減するよう傾斜させて延長した筒状陰茎固定部とを備えるとともに、該筒状陰茎固定部の他端を開口した長さ方向にめくり上げることができる柔軟素材からなる性不全者用補助器具本体を有し、前記陰茎締付用内筒をめくり上げて使用者の陰茎にはめ込み、陰茎締付用内筒を引き伸ばして陰茎上に固着し、さらに前記性不全者用補助器具本体の筒状陰茎固定部を開口部分の側から拡げて使用者の亀頭を亀頭収納室に収納したのち、前記筒状陰茎固定部を前記陰茎締付用内筒上に閉じて亀頭固定環で陰茎に性不全者用補助器具本体を固着するようにしたことを特徴とする性不全者用補助器具。
【発明の詳細な説明】
【技術分野】
【０００１】
この発明は早漏の性機能障害を持った人のために開発され、性行為中での亀頭の刺激を低減して勃起状態の持続時間を長くすることにより、相手女性に正常な性生活を与えることのできる性不全者用補助器具に関するものである。
同時に、この発明は神経障害や糖尿病、高血圧などの肉体的不全や老齢を原因とする勃起不全（インポテント）の性機能障害を持った人のために開発され、使用者の亀頭を適度に刺激して勃起を促し、不全の回復を早めることのできる性不全者用補助器具に関するものである。
【背景技術】
【０００２】
近年、ストレスなどを原因とする神経障害や糖尿病、高血圧等の諸症状により、性不全者が増加の一途をたどっている。複雑化、高度化された近代社会の抱える特徴といえる。すでに北欧やアメリカでは重大な社会問題として多くの専門研究所や企業により集中的に種々の方法が開発されている。
【０００３】
しかし、日本では風俗、習慣の違いや、性不全者に対する基本的な対応の不備により、Ａ・Ｖ（ビデオ）や大人のオモチャというような、全く誤った方向にしかこの問題が発展しなかった。このように日本はこの問題に関しては全くの後進国であり、近代化された複雑な社会の抱える基本的な問題であるとの認識が不足している。
【０００４】
従来、性機能障害者は内科的（薬物）および外科的（手術）により医学的に治療されるものと思われてきた。しかしながら、例えば近視や遠視者は、医学的治療によらずに焦点の合致した眼鏡を使用すれば本来の目的を達成することができる。難聴者が補聴器を使用するのも、義手や義足、生理用ナプキンも同様の医療行為を伴なわない補助器具である。このような人間の体内の医学的治療でなく、なんらかの補助器具を使用して肉体的不全や生理現象を完全に補い、本来の目的を達成することに補助器具の意義がある。
【０００５】
ところで神経障害や糖尿病、高血圧などの肉体的不全や老齢を原因とする勃起不全（インポテント）は夫婦間の性生活において深刻な問題である。従来このような性機能障害を持った人のために開発され、相手女性に正常な性生活を与えることのできる性不全者用の補助器具に類するものとして、使用者のペニスに装着して勃起の状態に偽装する器具が種々知られている。例えば勃起した大きさの所定の硬さのサック状のもの、陰茎部を締め付けて勃起の状態を起こさせるものである。
【０００６】
一方これと同様に早漏も性不全の１つであるが、従来性行為中での亀頭の刺激を低減して勃起状態の持続時間を長くすることにより、早漏を解消することができる補助器具はほとんど存在しなかった。
【０００７】
また、上記勃起した大きさの所定の硬さのサック状のものにおいては、使用者のペニスとの一体感がないため性行為中における感触が悪く、外れやすいという欠点があった。
【０００８】
さらに、陰茎部を締め付けて勃起の状態を起こさせるものにおいては、装着時の操作が面倒なため使用者が着用をあせってより一層勃起不全を来したり、ペニスを傷つけやすいという欠点があった。
【０００９】
以上のような問題点を解決するため、本発明者は先に特願２００４−３９０８８号（特開２００５−２２４５４３号公報、特許文献１参照）において次のような性不全者用補助器具を提案した。
すなわち、先端から亀頭固定室、亀頭固定室の頚部に径を小さく形成した亀頭固定環および複数片に分離した陰茎固定翼とを備えた内筒と、先端から上記内筒の亀頭固定室を被覆する亀頭部と、陰茎固定翼を被覆する陰茎部とを備えた、巻取り可能な柔軟素材からなる外筒とを有し、上記内筒の陰茎固定翼を拡げて使用者の亀頭を亀頭固定室に収納したのち、陰茎固定翼を閉じて亀頭固定環で陰茎に内筒を固着し、さらに巻き取った外筒を内筒の先端から巻き戻して順次装着するようにしたものである。
【特許文献１】特開２００５−２２４５４３号公報
【発明の開示】
【発明が解決しようとする課題】
【００１０】
しかしながら、上記特願２００４−３９０８８号の発明に係る製品においては、使用年齢が非常に高齢になってきて簡単に装着することが難しくなってきているという問題が生じてきている。
この発明は上記従来例の以上の欠点を解消しようとするもので、亀頭固定環から徐々に肉厚を低減するよう傾斜させて延長するとともに複数片に分離した陰茎固定翼もしくは亀頭固定環から徐々に肉厚を低減するよう傾斜させて延長した筒状陰茎固定部という簡単な構造を採用することにより、簡単に使用者の陰茎に装着することができる性不全者用補助器具を提供しようとするものである。
【課題を解決するための手段】
【００１１】
すなわちこの発明の性不全者用補助器具は、先端から端部を閉じた亀頭収納室、該亀頭収納室の頚部に径を小さく形成した亀頭固定環、および該亀頭固定環から徐々に肉厚を低減するよう傾斜させて延長するとともに複数片に分離した陰茎固定翼とを備え、該陰茎固定翼の他端を開口した長さ方向にめくり上げることができる内筒と、先端から上記内筒の亀頭収納室を被覆する亀頭部と、亀頭部と連続して陰茎固定翼を被覆する陰茎部とを備えるとともに、他端を開口した、長さ方向にめくり上げることができる柔軟素材からなる外筒とを有し、前記内筒の陰茎固定翼を開口部分の側から拡げて使用者の亀頭を亀頭収納室に収納したのち、前記陰茎固定翼を閉じて亀頭固定環で陰茎に内筒を固着し、さらに前記外筒を開口部分からめくり上げ、次いで先端の側から外筒を引き伸ばして順次内筒上に装着するようにしたことを特徴とするものである。
【００１２】
この発明の性不全者用補助器具においては、前記亀頭固定環が、前記複数の陰茎固定翼の中間部位において切込みが形成されており、前記陰茎固定翼の他端を容易にめくり上げられるようにしたことをも特徴とするものである。
【００１３】
この発明の性不全者用補助器具においては、前記内筒が、前記複数の陰茎固定翼の中間部位において形成された前記亀頭固定環の切込み部分の近傍に亀裂防止用の肉厚部を設けたことをも特徴とするものである。
【００１４】
またこの発明の性不全者用補助器具は、先端から端部を閉じた亀頭収納室、該亀頭収納室の頚部に径を小さく形成した亀頭固定環、および該亀頭固定環から徐々に肉厚を低減するよう傾斜させて延長した筒状陰茎固定部とを備えるとともに、該筒状陰茎固定部の他端を開口した長さ方向にめくり上げることができる柔軟素材からなる性不全者用補助器具本体を有し、前記性不全者用補助器具本体の筒状陰茎固定部を開口部分の側から拡げて使用者の亀頭を亀頭収納室に収納したのち、前記筒状陰茎固定部を閉じて亀頭固定環で陰茎に性不全者用補助器具本体を固着するようにしたことを特徴とするものである。
【００１５】
この発明の性不全者用補助器具においては、両端が開口した長さ方向にめくり上げることができる陰茎締付用内筒と、先端から端部を閉じた亀頭収納室、該亀頭収納室の頚部に径を小さく形成した亀頭固定環、および該亀頭固定環から徐々に肉厚を低減するよう傾斜させて延長した筒状陰茎固定部とを備えるとともに、該筒状陰茎固定部の他端を開口した長さ方向にめくり上げることができる柔軟素材からなる性不全者用補助器具本体を有し、前記陰茎締付用内筒をめくり上げて使用者の陰茎にはめ込み、陰茎締付用内筒を引き伸ばして陰茎上に固着し、さらに前記性不全者用補助器具本体の筒状陰茎固定部を開口部分の側から拡げて使用者の亀頭を亀頭収納室に収納したのち、前記筒状陰茎固定部を前記陰茎締付用内筒上に閉じて亀頭固定環で陰茎に性不全者用補助器具本体を固着するようにしたことを特徴とするものである。
【発明の効果】
【００１６】
請求項１の発明は以上のように構成したので次のような作用効果を奏するものとなっている。
１）前記陰茎固定翼を左右に拡げる際に、亀頭固定環から徐々に肉厚を低減するよう傾斜させて延長したテーパ部を有する陰茎固定翼が剛性を発揮するため、亀頭固定環の部位を強く拡げることが可能な性不全者用補助器具を提供することができる。
２）前記陰茎固定翼のテーパ部が亀頭部の冠状溝のくびれを埋めるようにセットされるために性不全者用補助器具を安定させ、したがって性不全者用補助器具の脱落を防止することが可能な性不全者用補助器具を提供することができる。
３）外筒を引き下ろす時、テーパ部の厚さがスムーズに引き下ろすことを可能とするガイドとして機能する。
【００１７】
請求項２の発明は以上のように構成したので、次のような作用効果を奏するものとなっている。
１）前記陰茎固定翼を左右に拡げる際に、前記亀頭固定環を複数の陰茎固定翼の中間部位において形成された切込み部分において簡単に拡げることができるため、亀頭部の挿入を簡単かつ迅速に行うことができるようにした性不全者用補助器具を提供することができる。
２）前記陰茎固定翼のテーパ部が亀頭部の冠状溝のくびれを埋めるようにセットされるために性不全者用補助器具を安定させ、したがって性不全者用補助器具の脱落を防止することが可能な性不全者用補助器具を提供することができる。
３）外筒を引き下ろす時、テーパ部の厚さがスムーズに引き下ろすことを可能とするガイドとして機能する。
【００１８】
請求項３の発明は以上のように構成したので、前記複数の陰茎固定翼の中間部位に従来生じやすかった亀裂を確実に防止するという作用効果を奏するものとなっている。
【００１９】
請求項４の発明は以上のように構成したので、性不全者用補助器具を陰茎に装着しても太くなりすぎることがなく、スマートで女性に優しい性不全者用補助器具を提供することができるほか、以下のような作用効果を有している。
１）予め性不全者用補助器具本体をめくり上げておき、使用者の陰茎の亀頭部を亀頭収納室に押し付け、性不全者用補助器具本体を元の位置に戻すだけで装着が完了するので非常に簡単に装着動作を行うことができる。
２）性不全者用補助器具の亀頭固定環が陰茎の冠状溝にセットされる。
３）前記陰茎固定翼のテーパ部が亀頭部の冠状溝のくびれを埋めるようにセットされるために性不全者用補助器具を安定させ、したがって性不全者用補助器具の脱落を防止することが可能な性不全者用補助器具を提供することができる。
なお、請求項４の場合には陰茎が完全勃起より弱くなった状態で使用するが、委縮して中折れしてしまったときは陰茎から脱落してしまうという欠点があった。
【００２０】
そのため請求項５の発明は、上述のような委縮な中折れが進んでしまった場合には、補助的に両端が開口した長さ方向にめくり上げることができる陰茎締付用内筒を陰茎の根元から中ほどにかけて装着しておくものである。
この陰茎締付用内筒は大きな伸縮力と強い締め付け力を備えた素材から構成されており、陰茎に装着した際には肉厚が薄くてもこのまま勃起補助用としても使用できるほどの機能を備えている。したがって、この陰茎締付用内筒を装着した上から性不全者用補助器具本体を装着することにより、完全な勃起補助効果、脱落防止効果を備えた性不全者用補助器具を提供することができる。
【図面の簡単な説明】
【００２１】
【図１】この発明の性不全者用補助器具の１実施例を示すものであり、（ａ）は内筒の正面図、（ｂ）はその断面図、（ｃ）はその底面図である。
【図２】（ａ）は内筒の斜視図、（ｂ）はその断面図、（ｃ）は（ｂ）とはほぼ直角の位置から切断した断面図である。
【図３】（ａ）は上記内筒に被せる外筒の正面図、（ｂ）はその断面図である。
【図４】（ａ）は上記外筒の斜視図、（ｂ）はその断面図である。
【図５】（ａ）は上記内筒に外筒を被せた状態の正面図、（ｂ）はその断面図である。
【図６】（ａ）はその斜視図、（ｂ）はその断面図である。
【図７】この実施例の性不全者用補助器具を陰茎に組み付ける手順を示し、（ａ）は外筒を裏返して開口部分から引き上げる状態の正面図、（b）はその断面図である。
【図８】（ａ）は外筒を内筒の亀頭部収納室上まで引き上げた状態を示す正面図、（ｂ）はその断面図である。
【図９】さらに内筒の陰茎固定翼を大きく拡げた状態の断面図である。
【図１０】使用者の陰茎に装着しようとする状態を示す断面図である。
【図１１】陰茎の亀頭部を内筒の亀頭部収納室内に取り付けた状態を示す断面図である。
【図１２】内筒を陰茎上に取り付けた状態を示す断面図である。
【図１３】外筒を内筒上に取り付けた状態を示す断面図である。
【図１４】この発明の性不全者用補助器具の変形例を示すものであり、（ａ）は内筒の正面図、（ｂ）はその断面図、（ｃ）はその底面図である。
【図１５】（ａ）は内筒の斜視図、（ｂ）はその断面図、（ｃ）は（ｂ）とはほぼ直角の位置から切断した断面図である。
【図１６】この発明の性不全者用補助器具の他の実施例を示すものであり、（ａ）は正面図、（ｂ）はその断面図、（ｃ）はその底面図である。
【図１７】（ａ）はその斜視図、（ｂ）はその断面図である。
【図１８】筒状陰茎固定部をめくり上げた状態の正面図、（ｂ）はその断面図である。
【図１９】（ａ）は図１６の実施例を示す陰茎締付用内筒の正面図、（ｂ）はその断面図である。
【図２０】陰茎締付用内筒を上部からめくり下ろした状態の断面図である。
【図２１】（ａ）は陰茎締付用内筒をさらに下部からめくり上げた状態の断面図、（ｂ）はさらに陰茎に装着した状態の断面図である。
【図２２】（ａ）は陰茎締付用内筒を陰茎の根元に装着し、引き伸ばした状態の正面図、（ｂ）はその断面図である。
【図２３】前記実施例の使用形態を示すものであり、図１６の性不全者用補助器具をめくり上げる前の段階の断面図である。
【図２４】下端の開口部分からめくり上げた状態の断面図である。
【図２５】使用者の陰茎に陰茎締付用内筒を取り付け、さらに図１６の性不全者用補助器具を装着しようとする段階の断面図である。
【図２６】（ａ）は装着が完了した段階の正面図、（ｂ）はその断面図である。
【発明を実施するための形態】
【００２２】
以下、この発明の性不全者用補助器具の実施の形態を図面に基いて詳細に説明する。
図１ないし図６はこの発明の性不全者用補助器具の一実施例を示すものである。
【００２３】
図１（ａ）、（ｂ）、（ｃ）、図２（ａ）、（ｂ）、（ｃ）において、一端が開口した長さ方向にめくり上げることができる陰茎締付用の内筒１１は、先端から使用者の亀頭を収納する亀頭収納室２１と、該亀頭収納室２１の頚部に径を小さく形成した亀頭固定環２２、および該亀頭固定環２２から徐々に肉厚を低減するよう傾斜させて延長したテーパ部２３ｃを有するとともに複数片、図では一対に分離した陰茎固定翼２３ａ，２３ｂとを備え、該陰茎固定翼２３ａ，２３ｂの他端を開口した長さ方向にめくり上げることができるようになっている。
【００２４】
また、図３（ａ）、（ｂ）、図４（ａ）、（ｂ）は柔軟素材からなる外筒１２を示すものであり、先端から上記内筒１１の亀頭収納室２１を被覆する亀頭部３１と、亀頭部３１と連続して陰茎固定翼２３ａ，２３ｂを被覆する陰茎部３２とを備えるとともに、他端を開口した、長さ方向にめくり上げることができるようになっている。
前記外筒１２は、全体をゴム（生ゴム、シリコンゴム）、エラストマまたはラテックス等の長さ方向にめくり上げることができる柔軟性に富み、伸縮自在の素材で一体成形されている。そして素材は、使用者の精神的圧迫感を軽減するために純透明かまたは素材中に蓄光顔料が混練されていることが望ましい。
３３は外筒１２の前記亀頭部３１と陰茎部３２との間に設けたリング状リブである。
【００２５】
そして、前記内筒１１および外筒１２を組み付けてセットした状態を図５（ａ）、（ｂ）、図６（ａ）、（ｂ）に示す。
図５（ａ）、（ｂ）、図６（ａ）、（ｂ）において、内筒１１の亀頭収納室２１の外側には外筒１２の亀頭部３１が装着され、また陰茎固定翼２３ａ，２３ｂの外側には陰茎部３２が装着されている。そして亀頭固定環２２の近傍の外側に配置されたリング状リブ３３により、亀頭固定環２２が使用者の亀頭部の冠状溝にはまりあうように強固に装着される。
同時に、前記陰茎固定翼２３ａ，２３ｂの亀頭固定環２２から徐々に肉厚を低減するよう傾斜させて延長したテーパ部２３ｃが、後述するように使用者の陰茎１０１の亀頭１０２の冠状溝１０３のくびれを埋めるようにセットされる。
【００２６】
前記実施例の性不全者用補助器具においては、前記亀頭固定環２２には、前記複数の陰茎固定翼２３ａ，２３ｂの中間部位において切込み２２ａが形成されており、前記陰茎固定翼２３ａ，２３ｂの他端を容易にめくり上げるようにしたものである。
さらに、前記内筒１１は、前記複数の陰茎固定翼２３ａ，２３ｂの中間部位において形成された分割端部２３ｄの近傍に亀裂防止用の肉厚部２３ｅが設けられている。図では分割端部２３ｄの両側に一対と、分割端部２３ｄの延長線上に２個の突起状肉厚部２３ｅが形成してある。
【００２７】
次に、図７ないし図１３に基いて前記実施例の作用効果について具体的に説明する。
先ず、図７（ａ）、（ｂ）に示すように、前記外筒１２の開口端部からめくり上げてゆく。そして図８（ａ）、（ｂ）に示すように、前記外筒１２のリング状リブ３３が反転するまで引き上げる。
さらに、図９および図１０に示すように、前記内筒１１の陰茎固定翼２３ａ，２３ｂを開口部分の側から拡げ、図１１に示すように、使用者の亀頭１０２を内筒１１の亀頭収納室２１に収納して、図１２に示すように、前記陰茎固定翼２３ａ，２３ｂを陰茎１０１上に閉じる。
さらに、図１３に示すように、外筒１２を引き下ろして内筒１１を覆うようにセットすると、亀頭固定環２２が陰茎１０１の亀頭１０２の冠状溝１０３にはまり込み、かつそのテーパ部２３ｃが使用者の陰茎１０１の亀頭１０２の冠状溝１０３のくびれを埋めるようにセットされる。
【００２８】
図１４（ａ）、（ｂ）、（ｃ）および図１５（ａ）、（ｂ）、（ｃ）は、この発明の性不全者用補助器具の変形例を示すものである。
本変形例において性不全者用補助器具本体４１は、形状としては前記内筒１１とほぼ同一の形状を有している。
先端から端部を閉じた亀頭収納室４２、該亀頭収納室４２の頚部に径を小さく形成した亀頭固定環４３、および該亀頭固定環４３から徐々に肉厚を低減するよう傾斜させて延長した陰茎固定翼４４ａ，４４ｂとを備えている。
なお、この性不全者用補助器具本体４１においては前記亀頭固定環４３に切込みは形成されておらず、また陰茎固定翼４４ａ，４４ｂのテーパ部４４ｃはやや厚めに形成されていて、より優れた剛性を備えていることが望ましい。
このように構成した場合、前記陰茎固定翼４４ａ，４４ｂを左右に拡げる際に、亀頭固定環４３から徐々に肉厚を低減するよう傾斜させて延長したテーパ部４４ｃを有する陰茎固定翼４４ａ，４４ｂが剛性を発揮するため、亀頭固定環４３の部位を強く拡げることが可能となる。
【００２９】
図１６ないし図１８はこの発明の性不全者用補助器具の他の実施例を示すものである。
すなわち本実施例の性不全者用補助器具を構成する性不全者用補助器具本体５１は、図１６（ａ）、（ｂ）、（ｃ）、図１７（ａ）、（ｂ）に示すように、先端から端部を閉じた亀頭収納室５２、該亀頭収納室５２の頚部に径を小さく形成した亀頭固定環５３、および該亀頭固定環５３から徐々に肉厚を低減するよう傾斜させて延長した筒状陰茎固定部５４とを備えている。５５は、前記性不全者用補助器具本体５１の外周に設けたリング状リブであり、亀頭収納室５２と筒状陰茎固定部５４とのほぼ中間に配置されている。
ちなみに、この実施例の性不全者用補助器具本体５１も、筒状陰茎固定部５４の他端を開口した長さ方向にめくり上げることができる柔軟素材からなるものであることが望ましい。
そして、図１８（ａ）、（ｂ）に示すように、前記性不全者用補助器具本体５１の筒状陰茎固定部５４を開口部分の側から拡げて使用者の亀頭を亀頭収納室５２に収納したのち、前記筒状陰茎固定部５４を閉じ、前記亀頭固定環５３で陰茎に性不全者用補助器具本体５１を装着するようにして使用することができる。
【００３０】
図１９ないし図２６はこの実施例の性不全者用補助器具の変形例を示すものである。この変形例は、前記性不全者用補助器具本体５１では十分な勃起を得ることが難しい使用者のためのものである。
この変形例では、前記実施例の性不全者用補助器具と併せて、両端が開口した長さ方向にめくり上げることができる陰茎締付用内筒６１を使用するものである。
前記陰茎締付用内筒６１は、図１９（ａ）、（ｂ）に示すように、一端に複数の突片６２を設けた筒状をなしている。該突片６２側の外周面には複数の第１縦リブ６３とその長さ方向に所定の間隔をおいて第２縦リブ６４とが形成してある。
なお、第１縦リブ６３と第２縦リブ６４とを互いに重なり合わない位置に形成することにより、図２０に示すように、前記陰茎締付用内筒６１の一端側からめくり上げたときに、それぞれの隙間に第１縦リブ６３と第２縦リブ６４とが入り込んで不必要に厚くなることを防ぐことができる。
【００３１】
このようにすれば、図２１（ａ）、（ｂ）に示すように、陰茎締付用内筒６１は第２縦リブ６４の筒状部分に重ね合せた第１縦リブ６３側の筒状部分の上に、その反対側の筒状部分を重ね合せてコンパクトな帯状とすることができる。
その上で図２２（ａ）、（ｂ）に示すように、帯状とした前記陰茎締付用内筒６１をめくり上げて使用者の陰茎１０１にはめ込み、陰茎締付用内筒６１を引き伸ばして陰茎１０１上に固着すればよい。
【００３２】
そして、図２３および図２４に示すように、別途用意した前記性不全者用補助器具本体５１の筒状陰茎固定部５４を開口部分の側から拡げ、図２５に示すように使用者の陰茎１０１の亀頭１０２を亀頭収納室５２に収納したのち、図２６（ａ）、（ｂ）に示すように、前記筒状陰茎固定部５４を前記陰茎締付用内筒６１上に閉じて、亀頭固定環５３で陰茎１０１に性不全者用補助器具本体５１を装着することにより、陰茎１０１上へのセットが完了する。
【００３３】
前記陰茎締付用内筒６１は大きな伸縮力と強い締め付け力を備えた素材から構成されており、陰茎に装着した際には肉厚が薄くてもこのまま勃起補助用としても使用できるほどの機能を備えている。したがって、この陰茎締付用内筒６１を装着した上から性不全者用補助器具本体５１を装着することにより、完全な勃起補助効果、脱落防止効果を備えた性不全者用補助器具を提供することができる。
【００３４】
また、この発明の性不全者用補助器具において使用されるゴム（生ゴム、シリコンゴム）、エラストマまたはラテックス等は人間に対して無害であり、その上肌触りや弾力性、体感温度等において限りなく人間のペニスに近く製作されている。したがって相手女性は、如何なる違和感も感じず、自然性交と同じ満足感が得られる。同様にこの発明の性不全者用補助器具を装着した使用者は、密着性がよいため違和感を感じたり、重さによる負荷を感じることはない。
さらに使用後には洗剤入りの冷温水、煮沸消毒等が可能であり、材質、寸法変化もない。
【産業上の利用可能性】
【００３５】
この発明の性不全者用補助器具は、早漏の性機能障害を持った人において、性行為中での亀頭の刺激を低減して勃起状態の持続時間を長くすることにより、相手女性に正常な性生活を与えるために使用することができる。
同時に、神経障害や糖尿病、高血圧などの肉体的不全や老齢を原因とする勃起不全（インポテント）の性機能障害を持った人において、使用者の亀頭を適度に刺激して勃起を促し、不全の回復を早めるために使用することができる。
【符号の説明】
【００３６】
１１  内筒
１２  外筒
２１  亀頭収納室
２２  亀頭固定環
２２ａ  切込み
２３ａ，２３ｂ  陰茎固定翼
２３ｃ  テーパ部
２３ｄ  分割端部  
２３ｅ  肉厚部
３１  亀頭部
３２  陰茎部
３３  リング状リブ
４１  性不全者用補助器具本体
４２  亀頭収納室
４３  亀頭固定環
４４ａ，４４ｂ  陰茎固定翼
４４ｃ  テーパ部
５１  性不全者用補助器具本体
５２  亀頭収納室
５３  亀頭固定環
５４  筒状陰茎固定部
６１  陰茎締付用内筒
６２  突片
６３  第１縦リブ
６４  第２縦リブ
１０１  陰茎
１０２  亀頭
１０３  冠状溝
【図１】
2015196019.tif 000003
【図２】
2015196019.tif 000004
【図３】
2015196019.tif 000005
【図４】
2015196019.tif 000006
【図５】
2015196019.tif 000007
【図６】
2015196019.tif 000008
【図７】
2015196019.tif 000009
【図８】
2015196019.tif 000010
【図９】
2015196019.tif 000011
【図１０】
2015196019.tif 000012
【図１１】
2015196019.tif 000013
【図１２】
2015196019.tif 000014
【図１３】
2015196019.tif 000015
【図１４】
2015196019.tif 000016
【図１５】
2015196019.tif 000017
【図１６】
2015196019.tif 000018
【図１７】
2015196019.tif 000019
【図１８】
2015196019.tif 000020
【図１９】
2015196019.tif 000021
【図２０】
2015196019.tif 000022
【図２１】
2015196019.tif 000023
【図２２】
2015196019.tif 000024
【図２３】
2015196019.tif 000025
【図２４】
2015196019.tif 000026
【図２５】
2015196019.tif 000027
【図２６】
2015196019.tif 000028